【手続補正書】
【提出日】平成16年7月30日(2004.7.30)
【手続補正１】
【補正対象書類名】明細書
【補正対象項目名】特許請求の範囲
【補正方法】変更
【補正の内容】
【特許請求の範囲】
【請求項１】  細胞小器官の膜安定性および／または機能に関与するポリペプチドをコードする核酸分子において、前記核酸分子が
（ａ）０．２×ＳＳＣおよび０．１％ＳＤＳを含有する溶液中、６５℃で、ＳＥＱ  ＩＤ  ＮＯ：８、ＳＥＱ  ＩＤ  ＮＯ：５４、ＳＥＱ  ＩＤ  ＮＯ：１０、ＳＥＱ  ＩＤ  ＮＯ：１２、ＳＥＱ  ＩＤ  ＮＯ１４および／またはＳＥＱ  ＩＤ  ＮＯ：５２のアミノ酸配列をコードする核酸分子および／またはその相補鎖とハイブリダイズし；
（ｂ）０．２×ＳＳＣおよび０．１％ＳＤＳを含有する溶液中、６５℃で、ＳＥＱ  ＩＤ  ＮＯ：６、７または５３、ＳＥＱ  ＩＤ  ＮＯ：９、ＳＥＱ  ＩＤ  ＮＯ：１１、ＳＥＱ  ＩＤ  ＮＯ：１３および／またはＳＥＱ  ＩＤ  ＮＯ：５１の核酸分子および／またはその相補鎖とハイブリダイズし；
（ｃ）（ａ）または（ｂ）の核酸分子と縮重し；
（ｄ）ＳＥＱ  ＩＤ  ＮＯ：１５〜５０、６１および６２に記載される少なくとも１つの、有利には少なくとも２つの、より有利には少なくとも３つの、特に有利には少なくとも４つの、非常に有利には少なくとも５つの、および最も有利には６つのアミノ酸配列を有するポリペプチドをコードし、
（ｅ）ＳＥＱ  ＩＤ  ＮＯ８と少なくとも８５％、有利には少なくとも９０％、より有利には少なくとも９５％、特に有利には少なくとも９８％、および９９．６％まで相同なポリペプチドをコードし、
（ｆ）ＳＥＱＩＤ  ＮＯ：５４と少なくとも９０％、有利には少なくとも９５％、より有利には少なくとも９８％、および９９．６％まで相同なポリペプチドをコードし、
（ｇ）ＳＥＱ  ＩＤ  ＮＯ：１０，１２、１４または５２のいずれか１つに記載のアミノ酸配列と、少なくとも３５％、有利に少なくとも５０％、より有利に少なくとも６０％、特に有利に少なくとも７０％、非常に有利に少なくとも８０％、特に有利に少なくとも９０％、さらに有利に少なくとも９５％、および最も有利に少なくとも９９％相同なポリペプチドをコードし、
（ｈ）突然変異により（ａ）〜（ｇ）の核酸分子と異なり、この際、前記突然変異は、コードされるポリペプチドの変化、欠失、重複または未熟終結を起こし、または
（ｉ）ＳＥＱ  ＩＤ  ＮＯ：９、１１、１３または５１に記載される配列を有する
ことを特徴とする、細胞小器官の膜安定性および／または機能に関与するポリペプチドをコードする核酸分子。
【請求項２】  ＤＮＡであることを特徴とする、請求項１に記載の核酸分子。
【請求項３】  細胞小器官の膜安定性および／または機能に寄与する前記ポリペプチドが、ミトコンドリアおよび／またはペルオキシソーム中で発現されることを特徴とする、請求項１または２に記載の核酸分子。
【請求項４】  前記ポリペプチドが、前記膜の維持に関与していることを特徴とする、請求項３に記載の核酸分子。
【請求項５】  細胞小器官の膜安定性および／または機能に寄与する前記ポリペプチドが、輸送体分子および／または輸送体分子の制御因子であることを特徴とする、請求項１から４までのいずれか１項に記載の核酸分子。
【請求項６】  前記ポリペプチドが変性ポリペプチドであることを特徴とする、請求項１から５までのいずれか１項に記載の核酸分子。
【請求項７】  前記変性ポリペプチドがミトコンドリアタンパク質の修飾因子であることを特徴とする、請求項６に記載の核酸分子。
【請求項８】  前記ミトコンドリアタンパク質がＵＣＰファミリーのメンバーであることを特徴とする、請求項７に記載の核酸分子。
【請求項９】  ＵＣＰファミリーの前記メンバーが、ＵＣＰ１、ＵＣＰ２、ＵＣＰ３、ＵＣＰ４、ＵＣＰ５、ＳｔＵＣＰまたはＡｔＵＣＰであることを特徴とする、請求項８に記載の核酸分子。
【請求項１０】  請求項１から９までのいずれか１項に記載の核酸分子を含むことを特徴とする、ベクター。
【請求項１１】  請求項１０に記載のベクターで形質転換されていることを特徴とする、宿主細胞または非ヒト宿主有機体。
【請求項１２】  好適な条件下で請求項１１に記載の宿主細胞を培養し、産生されるポリペプチドを単離することを含むことを特徴とする、ポリペプチドの製造方法。
【請求項１３】  請求項１から９までのいずれか１項に記載の核酸分子でコードされているかまたは請求項１２に記載の方法で製造されることを特徴とする、ポリペプチド。
【請求項１４】  請求項１３に記載のポリペプチドまたはそのフラグメントを含むことを特徴とする融合タンパク質。
【請求項１５】  前記フラグメントが、ＳＥＱ  ＩＤ  ＮＯ：１５〜５０のいずれか１つに記載される少なくとも１つ、有利には少なくとも２つ、より有利には少なくとも３つ、さらに有利には少なくとも４つ、特に有利には少なくとも５つ、最も有利には６つのアミノ酸配列を含有することを特徴とする、請求項１４に記載の融合タンパク質。
【請求項１６】  請求項１から９までのいずれか１項に記載の核酸分子または請求項１３に記載のポリペプチドまたは請求項１４または１５に記載の融合タンパク質を特異的に認識することを特徴とする、抗体、そのフラグメントまたは誘導体あるいはアプタマーまたは別のレセプター。
【請求項１７】  請求項１から９までのいずれか１項に記載の核酸分子のアンチセンスオリゴヌクレオチド、ハイブリダイゼーションプローブまたは増幅プライマー。
【請求項１８】  請求項１３に記載のポリペプチドまたは請求項１４に記載の融合タンパク質を発現し、請求項１０に記載のベクターで形質転換され、または請求項１から９までのいずれか１項に記載の核酸分子を含むことを特徴とする、非ヒト動物。
【請求項１９】  請求項１から９までのいずれか１項に記載の核酸分子、またはそのホモログ、パラログまたはオルトログがサイレント突然変異体および／または突然変異体であることを特徴とする、非ヒト動物。
【請求項２０】  マウス、ラット、ヒツジ、ハムスター、ブタ、イヌ、サル、ウサギ、子ウシ、ウマ、線形動物、ハエおよびサカナから成る群より選択されることを特徴とする、請求項１８または１９に記載の非ヒト動物。
【請求項２１】  請求項１から９までのいずれか１項に記載の核酸分子、請求項１０に記載のベクター、請求項１１に記載の宿主、請求項１３に記載のポリペプチド、請求項１４または１５に記載の融合タンパク質、請求項１６に記載の抗体、そのフラグメントまたは誘導体またはアプタマーまたは別のレセプターまたは請求項１７に記載のアンチセンスオリゴヌクレオチド、ハイブリダイゼーションプローブまたは増幅プライマーの、請求項１から９までのいずれか１項に記載のポリペプチドで変性および／または修飾される遺伝子および／または遺伝子産物の働きをモニターしかつ／または調節するための、使用。
【請求項２２】  前記遺伝子および／または遺伝子産物が、細胞小器官中で発現される遺伝子および／または遺伝子産物であることを特徴とする、請求項２２に記載の使用。
【請求項２３】  前記細胞小器官がミトコンドリアまたはペルオキシソームであることを特徴とする、請求項２２に記載の使用。
【請求項２４】  前記遺伝子および／または遺伝子産物がＵＣＰファミリーのメンバーであることを特徴とする、請求項２１から２３までのいずれか１項に記載の使用。
【請求項２５】  請求項１から９までのいずれか１項に記載の核酸分子、請求項１０に記載のベクター、請求項１１に記載の宿主、請求項１３に記載のポリペプチド、請求項１４または１５に記載の融合タンパク質、請求項１６に記載の抗体、そのフラグメントまたは誘導体またはアプタマーまたは別のレセプター、または請求項１７に記載のアンチセンスオリゴヌクレオチド、ハイブリダイゼーションプローブまたは増幅プライマーを含有することを特徴とする、組成物。
【請求項２６】  診断用組成物であることを特徴とする、請求項２５に記載の組成物。
【請求項２７】  製薬学的組成物であることを特徴とする、請求項２５に記載の組成物。
【請求項２８】  細胞、細胞マス、器官および／または被験者の障害を検出および／または確認するための、請求項２５または２６に記載の組成物の使用。
【請求項２９】  細胞、細胞マス、器官および／または被験者の障害の治療、緩和および／または予防のための、請求項２５または２７に記載の組成物の使用。
【請求項３０】  前記障害が、代謝障害またはミトコンドリア障害であることを特徴とする、請求項２８または２９に記載の使用。
【請求項３１】  前記代謝障害が、肥満、脂肪過多症、摂食障害（過食症、拒食症）、カヘキシー（衰弱）、膵臓の機能不全および／またはＲＯＳ産生に関する障害から選択されることを特徴とする、請求項３０に記載の使用。
【請求項３２】  請求項１から９までのいずれか１項に記載の核酸分子、請求項１０に記載のベクター、請求項１１に記載の宿主、請求項１３に記載のポリペプチド、請求項１４または１５に記載の融合タンパク質、請求項１６に記載の抗体、そのフラグメントまたは誘導体またはアプタマーまたは別のレセプターまたは請求項１７に記載のアンチセンスオリゴヌクレオチド、ハイブリダイゼーションプローブまたは増幅プライマーの、請求項１３に記載のポリペプチドと相互作用できる物質を同定するための、使用。
【請求項３３】  前記ポリペプチドと相互作用できる前記物質が、アンタゴニストまたはアゴニストであることを特徴とする、請求項３２に記載の使用。
【請求項３４】  動物の細胞代謝に関与するかまたはホメオスタシスを変化させることのできるポリペプチドまたは物質を同定する方法が、以下のステップ：
（ａ）収集されたポリペプチドまたは物質が、請求項１３に記載のポリペプチドまたはそのフラグメントまたは請求項１４または１５に記載の融合タンパク質またはそのフラグメントと相互作用するかを、読み取り系を使用して試験し；
（ｂ）ステップ（ａ）で相互作用が陽性であったポリペプチドまたは物質を同定する
を含むことを特徴とする、ポリペプチドまたは物質を同定する方法。
【請求項３５】  動物の細胞代謝に関与するかまたはホメオスタシスを変化させることのできるポリペプチドまたは物質を同定する方法が、以下のステップ：
（ａ）収集されたポリペプチドまたは物質が、請求項３４に記載の方法で同定されたポリペプチドと相互作用するかどうかを試験し；
（ｂ）ステップ（ａ）で相互作用が陽性であったポリペプチドを同定し；場合により
（ｃ）同定されたポリペプチドを用いて、ステップ（ａ）および（ｂ）を１回以上反復し、この際、新規に同定されたポリペプチドは、さらに相互作用するポリペプチドを同定するために、以前に同定されたポリペプチドをベイトとして置換する
を含むことを特徴とする、ポリペプチドまたは物質を同定する方法。
【請求項３６】  １種以上の相互作用（ポリ）ペプチドをコードする核酸分子を同定するステップをさらに含むことを特徴とする、請求項３４または３５に記載の方法。
【請求項３７】  ほ乳動物の体重を制御することに関与するポリペプチドの同定方法において、前記方法が以下のステップ：
（ａ）収集された（ポリ）ペプチドを、（ポリ）ペプチドの結合可能な条件で、請求項１３に記載のポリペプチドまたはそのフラグメントまたは請求項１４または１５に記載の融合タンパク質またはそのフラグメントと接触させ；
（ｂ）請求項１３に記載のポリペプチドまたは請求項１４または１５に記載の融合タンパク質とステップ（ａ）で結合しなかった（ポリ）ペプチドを、収集されたポリペプチドから除き、および
（ｃ）請求項１３に記載のポリペプチドまたは請求項１４または１５に記載の融合タンパク質と結合する（ポリ）ペプチドを同定する
を含むことを特徴とする。ほ乳動物の体重を製造することに関与するポリペプチドの同定方法。
【請求項３８】  請求項１３に記載の前記ポリペプチドまたは請求項１４または１５に記載の前記融合タンパク質が、固体支持体へ固定されていることを特徴とする、請求項３７に記載の方法。
【請求項３９】  前記固体支持体が、ゲル濾過クロマトグラフィーまたはアフィニティークロマトグラフィーの支持体であることを特徴とする、請求項３８に記載の方法。
【請求項４０】  ステップ（ｃ）での同定の前に、前記結合（ポリ）ペプチドを解離させることを特徴とする、請求項３７から３９までのいずれか１項に記載の方法。
【請求項４１】  前記解離が、溶離により実施されることを特徴とする、請求項４０に記載の方法。
【請求項４２】  １種以上の結合（ポリ）ペプチドをコードする核酸分子を同定するステップをさらに含むことを特徴とする、請求項３７から４１までのいずれか１項に記載の方法。
【請求項４３】  請求項１から９までのいずれか１項に記載の核酸分子の発現に影響を及ぼす化合物の同定法において、前記方法が、以下のステップ：
（ａ）請求項１から９までのいずれか１項に記載の核酸分子または請求項３６または４２に記載の方法により同定された核酸分子を含み、動作可能に読み取り系へ連結されて含む発現ベクターを有する宿主を、化合物または化合物混合物と接触させ；
（ｂ）前記接触の結果が、前記読み取り系によって起こるシグナル強度を変化させるかどうかを分析し、場合により
（ｃ）ステップ（ｂ）においてシグナルの変化を誘導する化合物を化合物混合物から同定する
（ここでは、シグナル強度の前記変化は、前記核酸分子の発現の変化に相関する）
を含むことを特徴とする、請求項１から９までのいずれか１項に記載の核酸分子の発現に影響を及ぼす化合物の同定法。
【請求項４４】  請求項１３に記載のポリペプチドの活性に影響を及ぼす化合物を同定する方法において、前記方法が、以下のステップ：
（ａ）動作可能に読み取り系と連結されて、請求項１から９までのいずれか１項に記載の核酸分子を含むベクターおよび／または読み取り系と連結する本発明の（ポリ）ペプチドを有する宿主を、化合物または化合物混合物と接触させ、
（ｂ）前記接触の結果、読み取り系によって起こるシグナル強度の変化があるかどうかを分析し；場合により
（ｃ）ステップ（ｂ）でシグナル変化を誘導する化合物を化合物混合物から同定する（ここでは、前記シグナル変化が前記（ポリ）ペプチドの活性変化に相関することを特徴とする）
を含むことを特徴とする、請求項１３に記載のポリペプチドの活性に影響を及ぼす化合物を同定する方法。
【請求項４５】  前記宿主が、真核宿主細胞であることを特徴とする、請求項４３または４４に記載の方法。
【請求項４６】  真核宿主細胞がほ乳動物宿主細胞であることを特徴とする、請求項４５に記載の方法。
【請求項４７】  前記宿主がバクテリアまたは酵母であることを特徴とする、請求項４３または４４に記載の方法。
【請求項４８】  前記シグナル強度の変化がシグナル強度の上昇であることを特徴とする、請求項４３から４７までのいずれか１項に記載の方法。
【請求項４９】  前記シグナル強度の変化が、シグナル強度の低下であることを特徴とする、請求項４３から４７までのいずれか１項に記載の方法。
【請求項５０】  請求項１３に記載の１種以上のポリペプチドまたは請求項１４または１５に記載の１種以上の融合タンパク質の動物での発現のインパクトを評価する方法において、前記方法が以下のステップ：
（ａ）請求項１から９までのいずれか１項に記載の核酸分子または請求項３６または４２項に記載の方法で同定された核酸分子を前記動物で過剰発現させ；
（ｂ）前記動物の体重が増加するか減少するか、代謝変化が誘導されかつ／または摂取挙動が変化するかどうかを測定する
を含むことを特徴とする、発現のインパクトを評価する方法。
【請求項５１】  請求項１３に記載の１種以上のポリペプチドまたは請求項１４または１５に記載の１種以上の融合タンパク質の動物中での発現のインパクトを評価する方法において、前記方法が以下のステップ：
（ａ）請求項１から９までのいずれか１項に記載の核酸分子または請求項３６または４２に記載の方法で同定された核酸分子を前記動物中で過少発現させ、
（ｂ）前記動物の体重が増加するかまたは減少するか、代謝変化が誘導されかつ／または摂食挙動が変化するかどうかを測定する
を含むことを特徴とする、発現のインパクトを評価する方法。
【請求項５２】  請求項１３に記載のポリペプチドと結合標的／薬剤の相互作用を変化させる薬剤をスクリーニングする方法において、前記方法が以下のステップ：
（ａ）
（ａａ）請求項１３に記載のポリペプチド、またはそのフラグメントまたは請求項１４または１５に記載の融合タンパク質またはそのフラグメント
（ａｂ）前記（ポリ）ペプチドまたは融合タンパク質またはそのフラグメントの結合標的／薬剤、
（ａｃ）候補薬剤
を含有する混合物を、前記（ポリ）ペプチド、融合タンパク質またはそのフラグメントが基準親和性で前記結合標的／薬剤と特異的に結合する条件でインキュベートし、
（ｂ）前記（ポリ）ペプチド、融合タンパク質またはそのフラグメントと前記結合標的との結合親和性を検出し、（候補）薬剤の偏向親和性を測定し、
（ｃ）（候補）薬剤偏向親和性と基準親和性との差を決定する
を含むことを特徴とする、スクリーニング方法。
【請求項５３】  請求項４３から４９までのいずれか１項に記載の方法で同定された化合物または請求項５２に記載の方法で同定された薬剤を精製する方法において、前記方法が以下のステップ
（ａ）前記化合物を偽ペプチドでモデリングし、
（ｂ）モデル化合物を化学的に合成する
を含むことを特徴とする、精製法。
【請求項５４】  請求項４３から４９までのいずれか１項に記載の化合物または請求項５２に記載の方法により同定された薬剤または請求項５３に記載の方法により精製された化合物を製薬学的に使用可能な担体および／または希釈液と配合して含有する組成物を製造する方法。
【請求項５５】  請求項４３から４９までのいずれか１項に記載の方法で同定された化合物または請求項５２に記載の方法で同定された薬剤を含有する組成物を製造する方法において、前記方法が以下のステップ：
（ａ）請求項４３から４９までのいずれか１項に記載の方法で同定された化合物または請求項５２に記載の薬剤を出発化合物として変性して、
（ｉ）カルボキシル基のエステル化、または
（ｉｉ）ヒドロキシル基のカルボン酸によるエステル化、または
（ｉｉｉ）ヒドロキシル基をエステル化して、例えばホスフェート、ピロホスフェートまたはスルフェートまたはヘミサクシネートとする、または
（ｉｖ）製薬学的に使用可能な塩の形成、または
（ｖ）製薬学的に使用可能な錯体の形成、または
（ｖｉ）製薬学的に活性なポリマーの合成、または
（ｖｉｉ）親水性部の導入、または
（ｖｉｉｉ）芳香族または側鎖上の置換基の導入／変換、置換パターンの変更、または
（ｉｘ）等配電子または生物等比体積部の導入による変性、または
（ｘ）類似化合物の合成、または
（ｘｉ）分枝側鎖の導入、または
（ｘｉｉ）アルキル置換基の環状類似体への変換、または
（ｘｉｉｉ）ヒドロキシル基のケタール、アセタールへの誘導、または
（ｘｉｖ）アミド、フェニルカルボメートへのＮ−アセチル化、または
（ｘｖ）マンニッヒ塩基、イミンの合成、または
（ｘｖｉ）ケトンまたはアルデヒドのシッフの塩基、オキシム、アセタール、ケタール、エノレスター、オキサゾリジン、チアゾリジンへの変性、
またはそれらの組合せによる、
（ｉ）作用部位、活性スペクトル、器官特異性の変性、および／または
（ｉｉ）力価の改善、および／または
（ｉｉｉ）毒性の低下（治療係数の増加）、および／または
（ｉｖ）副作用の減少、および／または
（ｖ）治療作用の開始、有効期間の変性
（ｖｉ）薬物動態パラメーター（再吸収、分布、代謝および分泌）の変性、および／または
（ｖｉｉ）物理化学パラメーター（溶解度、吸湿性、色、味、臭い、安定性、状態）の変性、および／または
（ｖｉｉｉ）一般的特性、器官／組織特異性の改善、および／または
（ｉｘ）適用形および適用経路の至適化
を実施し；かつ
（ｂ）前記のように変性した生成物を製薬学的に使用可能なキャリアーと配合する
を含むことを特徴とする、組成物を製造する方法。
【請求項５６】  前記組成物が製薬学的組成物であることを特徴とする、請求項５４または５５に記載の方法。
【請求項５７】  前記組成物が、肥満、脂肪過多症、摂食障害、消耗性症候群（カヘキシー）、ミトコンドリアの障害、膵臓の機能不全および／またはＲＯＳ産生に関する障害を予防、緩和または治療するための製薬学的組成物であることを特徴とする、請求項５６に記載の方法。
【請求項５８】  （ａ）請求項１３に記載の、または請求項３４、３５または３７から４１までのいずれか１項に記載の方法で同定された、または請求項５３に記載の方法で精製された（ポリ）ペプチドのインヒビター、
（ｂ）請求項３６または４２に記載の方法で同定された遺伝子発現に対するインヒビター、および／または
（ｃ）請求項４３または４４に記載の方法で同定された化合物
を含むことを特徴とする、組成物。
【請求項５９】  （ａ）請求項１３に記載の、または請求項３４、３５または３７から４１までのいずれか１項に記載の方法で同定された、または請求項５３に記載の方法で精製された（ポリ）ペプチドの刺激物質、
（ｂ）請求項３６または４２に記載の方法で同定された遺伝子発現に対する刺激物質、および／または
（ｃ）請求項４３または４４に記載の方法で同定された化合物
を含むことを特徴とする、組成物。
【請求項６０】  製薬学的組成物であることを特徴とする、請求項５８または５９に記載の組成物。
【請求項６１】  （ａ）請求項３４、３５、３７から４１または４３から４９までのいずれか１項に記載の方法で同定された、または請求項５３に記載の方法で精製された（ポリ）ペプチドのインヒビター；
（ｂ）請求項３６または４２に記載の方法で同定された遺伝子の発現に対するインヒビター；および／または
（ｃ）請求項４９に記載の方法で同定された化合物
の、肥満、脂肪過多症、摂食障害、消耗性症候群（カヘキシー）、ミトコンドリアの障害、膵臓の機能不全、ＲＯＳ産生に関する障害を治療するための製薬学的組成物を製造するための使用。
【請求項６２】  （ａ）請求項３４、３５、３７から４１または４３から４９までのいずれか１項に記載の方法で同定された、または請求項５３に記載の方法で精製された（ポリ）ペプチドの刺激物質；
（ｂ）請求項３６または４２に記載の方法で同定された遺伝子の発現に対する刺激物質；および／または
（ｃ）請求項４８に記載の方法で同定された化合物
の、肥満、脂肪過多症、摂食障害、消耗性症候群（カヘキシー）、ミトコンドリアの障害、膵臓の機能不全、ＲＯＳ産生に関する障害を治療するための製薬学的組成物を製造するための使用。
【請求項６３】  肥満、脂肪過多症、摂食障害、消耗性症候群（カヘキシー）、ミトコンドリアの障害、膵臓の機能不全、ＲＯＳ産生に関する障害を治療、緩和および／または予防するための製薬学的組成物を製造するための、請求項５２に記載の方法により同定された薬剤の使用。
【請求項６４】  ＳＥＱ  ＩＤ  ＮＯ：３または４に記載の核酸分子またはそのフラグメントの、ＳＥＱ  ＩＤ  ＮＯ：３または４によりコードされた遺伝子産物またはそのフラグメントを過剰または過少発現する非ヒト動物の製造のための使用。
【請求項６５】  前記非ヒト動物が、ショウジョウバエまたはマウスであることを特徴とする、請求項６４に記載の使用。
【請求項６６】  請求項６４に記載の非ヒト動物、例えば請求項６５に記載のショウジョウバエまたはマウスの、細胞小器官の膜安定性および／または機能に寄与することができ、ミトコンドリアタンパク質を修飾することができ、および／または細胞代謝に影響を及ぼすことのできるポリペプチドを検出するための、使用。
【請求項６７】  少なくとも
（ａ）請求項１から９までのいずれか１項に記載の核酸分子
（ｂ）請求項１０に記載のベクター
（ｃ）請求項１１に記載の宿主
（ｄ）請求項１３に記載のポリペプチド
（ｅ）請求項１４または１５に記載の融合タンパク質
（ｆ）請求項１６に記載の抗体またはそのフラグメントまたは誘導体または抗血清、アプタマーまたは別のレセプター；および
（ｇ）請求項１７に記載のアンチセンスオリゴヌクレオチド、ハイブリダイゼーションプローブまたは増幅プライマー
の１つを含有することを特徴とする、キット。